【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
複数のサブエリアから構成されるネットワーク環境であって、エニーキャスト用の同じIPアドレスを有する複数の管理サーバの各々により、各サブエリアのデバイスが管理されている前記ネットワーク環境において、前記ネットワーク環境の何れかのサブエリアに接続する情報処理装置であって、
前記情報処理装置にて管理するサーバ情報に含まれるエニーキャスト用IPアドレスを用いて、前記接続したサブエリアにおいてエニーキャストを行うエニーキャスト実行手段と、
前記エニーキャストに対する応答があった管理サーバに対して、該管理サーバが管理するネットワーク管理情報を要求する要求手段と、
前記要求手段による要求の応答として取得したネットワーク管理情報を解析し、前記応答してきた管理サーバが管理するサブエリアのデバイスのためのデバイスドライバが、前記情報処理装置にインストールされているかを判定する判定手段と、
前記判定手段により前記応答してきた管理サーバが管理するサブエリアのデバイスのためのデバイスドライバが前記情報処理装置にインストールされていると判定された場合、前記情報処理装置の前記接続したサブエリアにおけるデフォルトデバイスとして、当該デバイスドライバに対応するデバイスを選定する選定手段と、
を有することを特徴とする情報処理装置。
【請求項２】
前記判定手段により前記応答してきた管理サーバが管理するサブエリアのデバイスのためのデバイスドライバが前記情報処理装置にインストールされていないと判定された場合、前記応答してきた管理サーバからデバイスドライバをインストールするためのインストーラを取得する取得手段と、
デバイスドライバをインストールするために、前記取得手段により取得したインストーラの実行を制御する制御手段とを備え、
前記選定手段は、前記情報処理装置の前記接続したサブエリアにおけるデフォルトデバイスとして、前記制御手段によりインストールが行われたデバイスドライバに対応するデバイスを選定することを特徴とする請求項１に記載の情報処理装置。
【請求項３】
前記管理サーバからの前記エニーキャストに対する応答、及び前記要求手段による要求の応答として取得したネットワーク管理情報にもとづき、前記情報処理装置にて管理するサーバ情報を更新する更新手段を備えることを特徴とする請求項１または２に記載の情報処理装置。
【請求項４】
前記デバイスはプリンタであり、前記デバイスドライバはプリンタドライバであることを特徴とする請求項１乃至３の何れか１項に記載の情報処理装置。
【請求項５】
複数のサブエリアから構成されるネットワーク環境であって、エニーキャスト用の同じIPアドレスを有する複数の管理サーバの各々により、各サブエリアのデバイスが管理されている前記ネットワーク環境において、前記ネットワーク環境の何れかのサブエリアに接続する情報処理装置を制御する方法であって、
エニーキャスト実行手段が、前記情報処理装置にて管理するサーバ情報に含まれるエニーキャスト用IPアドレスを用いて、前記接続したサブエリアにおいてエニーキャストを行うエニーキャスト実行工程と、
要求手段が、前記エニーキャストに対する応答があった管理サーバに対して、該管理サーバが管理するネットワーク管理情報を要求する要求工程と、
判定手段が、前記要求の応答として取得したネットワーク管理情報を解析し、前記応答してきた管理サーバが管理するサブエリアのデバイスのためのデバイスドライバが、前記情報処理装置にインストールされているかを判定する判定工程と、
選定手段が、前記判定工程で前記応答してきた管理サーバが管理するサブエリアのデバイスのためのデバイスドライバが前記情報処理装置にインストールされていると判定された場合、前記情報処理装置の前記接続したサブエリアにおけるデフォルトデバイスとして、当該デバイスドライバに対応するデバイスを選定する選定工程と、
を有することを特徴とする方法。
【請求項６】
請求項１乃至４の何れか１項に記載の情報処理装置の各手段としてコンピュータを機能させるためのプログラム。
【手続補正２】
【補正対象書類名】明細書
【補正対象項目名】発明の名称
【補正方法】変更
【補正の内容】
【発明の名称】情報処理装置及びそれを制御する方法及びプログラム
【手続補正３】
【補正対象書類名】明細書
【補正対象項目名】００１０
【補正方法】変更
【補正の内容】
【００１０】
上述した課題を解決するために、本発明の情報処理装置は、複数のサブエリアから構成されるネットワーク環境であって、エニーキャスト用の同じIPアドレスを有する複数の管理サーバの各々により、各サブエリアのデバイスが管理されている前記ネットワーク環境において、前記ネットワーク環境の何れかのサブエリアに接続する情報処理装置であって、前記情報処理装置にて管理するサーバ情報に含まれるエニーキャスト用IPアドレスを用いて、前記接続したサブエリアにおいてエニーキャストを行うエニーキャスト実行手段と、前記エニーキャストに対する応答があった管理サーバに対して、該管理サーバが管理するネットワーク管理情報を要求する要求手段と、前記要求手段による要求の応答として取得したネットワーク管理情報を解析し、前記応答してきた管理サーバが管理するサブエリアのデバイスのためのデバイスドライバが、前記情報処理装置にインストールされているかを判定する判定手段と、前記判定手段により前記応答してきた管理サーバが管理するサブエリアのデバイスのためのデバイスドライバが前記情報処理装置にインストールされていると判定された場合、前記情報処理装置の前記接続したサブエリアにおけるデフォルトデバイスとして、当該デバイスドライバに対応するデバイスを選定する選定手段と、を有することを特徴とする。
【手続補正４】
【補正対象書類名】明細書
【補正対象項目名】００１１
【補正方法】変更
【補正の内容】
【００１１】
ここで、前記判定手段により前記応答してきた管理サーバが管理するサブエリアのデバイスのためのデバイスドライバが前記情報処理装置にインストールされていないと判定された場合、前記応答してきた管理サーバからデバイスドライバをインストールするためのインストーラを取得する取得手段と、デバイスドライバをインストールするために、前記取得手段により取得したインストーラの実行を制御する制御手段とを備え、前記選定手段は、前記情報処理装置の前記接続したサブエリアにおけるデフォルトデバイスとして、前記制御手段によりインストールが行われたデバイスドライバに対応するデバイスを選定する。また、前記管理サーバからの前記エニーキャストに対する応答、及び前記要求手段による要求の応答として取得したネットワーク管理情報にもとづき、前記情報処理装置にて管理するサーバ情報を更新する更新手段を備える。また、前記デバイスはプリンタであり、前記デバイスドライバはプリンタドライバである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
また、本発明の情報処理装置を制御する方法は、複数のサブエリアから構成されるネットワーク環境であって、エニーキャスト用の同じIPアドレスを有する複数の管理サーバの各々により、各サブエリアのデバイスが管理されている前記ネットワーク環境において、前記ネットワーク環境の何れかのサブエリアに接続する情報処理装置を制御する方法であって、エニーキャスト実行手段が、前記情報処理装置にて管理するサーバ情報に含まれるエニーキャスト用IPアドレスを用いて、前記接続したサブエリアにおいてエニーキャストを行うエニーキャスト実行工程と、要求手段が、前記エニーキャストに対する応答があった管理サーバに対して、該管理サーバが管理するネットワーク管理情報を要求する要求工程と、判定手段が、前記要求の応答として取得したネットワーク管理情報を解析し、前記応答してきた管理サーバが管理するサブエリアのデバイスのためのデバイスドライバが、前記情報処理装置にインストールされているかを判定する判定工程と、選定手段が、前記判定工程で前記応答してきた管理サーバが管理するサブエリアのデバイスのためのデバイスドライバが前記情報処理装置にインストールされていると判定された場合、前記情報処理装置の前記接続したサブエリアにおけるデフォルトデバイスとして、当該デバイスドライバに対応するデバイスを選定する選定工程と、を有することを特徴とする。
【手続補正１０】
【補正対象書類名】明細書
【補正対象項目名】００１７
【補正方法】削除
【補正の内容】